(57)【要約】  コア領域（３）と、前部パネル（５）及び後部パネル（６）とを有するパンツ型の吸収性物品が開示されており、これら前部パネル（５）及び後部パネル（６）とは、少なくとも前部パネル（５）及び後部パネル（６）の一部分の唯一の構成要素を構成している弾性ウェブ材（１０）を備えている。この物品は、本体の腰端部（２２）に略平行に延在している少なくとも１つの強化用弾性要素（１４ａ）を備える弾性腰バンド（７）をさらに有している。腰領域のフィット感及び快適性を増加させるために、本体の腰端部（２２）に隣接する、物品の長手方向（ｙ）に見られる少なくとも５ｍｍの高さ（ａ）の領域は、弾性腰バンド（７）がそれに沿って延在する前記腰端部の周縁の実質的に一部分に沿って強化用弾性要素（１４ａ）を有していない。
2009501054.tif 000002
【特許請求の範囲】
【請求項１】
パンツ型オムツ、生理用パンツ、又は失禁用パンツのようなパンツ型の吸収性物品であって、
該物品は、吸収性コア（２）と本体（４）とを備えるコア領域（３）を備え、
前記本体は、前部パネル（５）と、後部パネル（６）と、前記本体の腰端部（２２）に略平行に、前記腰端部の周縁の少なくとも一部に沿って延在している少なくとも１つの強化用弾性要素（１４ａ）とを備える弾性腰バンド（７）を備えるコア領域と、を有し、
腰領域長手方向（ｙ）及び横方向（ｘ）を有する、吸収性物品において、
前記本体の前記腰端部（２２）に隣接する、物品の長手方向（ｙ）から見た場合に少なくとも５ｍｍの高さ（ａ）の領域は、前記弾性腰バンド（７）が沿って延在する前記腰端部の周縁の少なくとも実質的に一部分に沿った強化用弾性要素（１４ａ）を有していないことを特徴とする吸収性物品。
【請求項２】
前記弾性腰バンドが沿って延在する前記本体の前記腰端部（２２）の周縁の少なくとも７５％が、前記末端部に隣接する前記領域において、前記強化用弾性要素（１４ａ）を有していないことを特徴とする請求項１に記載の吸収性物品。
【請求項３】
前記腰端部（２２）に隣接する、強化用弾性要素（１４ａ）を有しない前記領域は、前記物品の長手方向（ｙ）から見たときに、少なくとも７ｍｍ、好ましくは少なくとも１０ｍｍの高さを有していることを特徴とする請求項１又は２に記載の吸収性物品。
【請求項４】
前記強化用弾性要素（１４ａ）を備える前記弾性腰バンド（７）は、１つの端部が前記本体の前記前部パネル（５）及び前記後部パネル（６）のうちの少なくとも一方の末端部（５ａ、６ａ）に取り付けられており、前記腰バンドの取り付けられていない端部は、前記腰バンドの取り付けられていない端部の少なくとも実質的な周辺部の一部分に沿った請求項１〜３に記載されている長さの領域において強化性弾用要素を有していないことを特徴とする請求項１〜３のいずれか一項に記載の吸収性物品。
【請求項５】
前記強化用弾性要素（１４ａ）を備える前記弾性腰バンド（７）は、前記前部パネル（５）及び前記後部パネル（６）に、それぞれの末端部の内側に選択された距離において取り付けられており、よって前記末端部は前記腰バンドの外側に突出し、前記腰バンドの前記取り付けられていない端部の少なくとも周縁の実質的な部分に沿って、請求項１〜４に記載されている強化性弾用要素を有していない高さ（ａ）を有する領域を形成していることを特徴とする請求項１〜４のいずれか一項に記載の吸収性物品。
【請求項６】
前記弾性腰バンド（７）は、前記物品の前記横方向（ｘ）において収縮状態の長さを有し、該収縮状態の長さは、前記弾性腰バンドが取り付けられる前記前部パネル（５）及び前記後部パネル（６）の前記横方向における収縮状態の長さより短いことを特徴とする請求項１〜５のいずれか一項に記載の吸収性物品。
【請求項７】
前記弾性腰バンド（７）は、互いから選択された距離（ｂ）で実質的に平行に延在する２つ以上の強化用弾性要素（１４ａ）を備え、前記距離（ｂ）は、前記腰端部（２２）に隣接する強化用弾性要素（１４ａ）を有しない前記領域の前記高さ（ａ）より短いことを特徴とする請求項１〜６のいずれか一項に記載の吸収性物品。
【請求項８】
前記前部パネル（５）及び前記後部パネル（６）のうちの少なくとも一方は、弾性ウェブ材（１０）を備えていることを特徴とする請求項１〜７のいずれか一項に記載の吸収性物品。
【請求項９】
前記弾性ウェブ材は、繊維材からなる第１及び第２の層（１１、１２）と、これら第１及び第２の繊維層の間に配置された弾性フィルム層（１３）とから構成された積層体（１０）であることを特徴とする請求項８に記載の吸収性物品。
【請求項１０】
前記弾性フィルム層（１３）は通気性を有していることを特徴とする請求項９に記載の吸収性物品。
【請求項１１】
前記弾性積層体（１０）は、２４時間で少なくとも１５００ｇ／ｍ２、好ましくは２４時間で少なくとも３０００ｇ／ｍ２の、ＡＳＴＭ、Ｅ−９６−００方法Ｄによる水蒸気透過率を有していることを特徴とする請求項１０に記載の吸収性物品。
【請求項１２】
前記弾性積層体（１０）は、スパンボンド材料からなる第１及び第２の繊維層（１１、１２）を備え、それぞれの前記層は、１０〜３５ｇ／ｍ２の、好ましくは１２〜３０ｇ／ｍ２の、より好ましくは１５〜２５ｇ／ｍ２の秤量を有し、通気性を有する弾性フィルム層（１３）は、２０〜８０ｇ／ｍ２の、好ましくは２０〜６０ｇ／ｍ２の秤量を有し、前記弾性積層体（１０）は、２４時間で少なくとも１５００ｇ／ｍ２、好ましくは２４時間で少なくとも３０００ｇ／ｍ２の、ＡＳＴＭ、Ｅ−９６−００方法Ｄによる水蒸気透過率を有していることを特徴とする請求項９〜１１のいずれか一項に記載の吸収性物品。
【請求項１３】
前記弾性積層体（１０）は、１００ｇ／ｍ２以下の、好ましくは９０ｇ／ｍ２以下の秤量を有することを特徴とする請求項８〜１２のいずれか一項に記載の吸収性物品。
【請求項１４】
前記弾性ウェブ材（１０）は、前記物品の全表面積の少なくとも２０％、好ましくは少なくとも２５％、より好ましくは少なくとも３０％、最も好ましくは少なくとも４０％において、前記本体（４）の単一の構成要素を構成していることを特徴とする請求項８〜１３のいずれか一項に記載の吸収性物品。
【請求項１５】
前記弾性ウェブ材（１０）は、本明細書に特定される弾性試験によって測定された場合に、少なくとも３０％、好ましくは少なくとも５０％、より好ましくは少なくとも７０％の前記物品の横方向（ｘ）における弾性率を有することを特徴とする請求項８〜１４のいずれか一項に記載の吸収性物品。
【請求項１６】
前記弾性ウェブ材（１０）は、本明細書に特定される弾性試験によって測定された場合に、少なくとも２０％の前記物品の長手方向（ｙ）における弾性率を有することを特徴とする請求項８〜１５のいずれか一項に記載の吸収性物品。
【請求項１７】
実質的に非弾性のウェブ材（１８０）の股パネル（１８）が前記物品の股部分（１９）に配置され、前記股パネル（１８）は、前記弾性ウェブ材（１０）を備える前記前部パネル（５）及び前記後部パネル（６）に結合されていることを特徴とする請求項１〜１６のいずれか一項に記載の吸収性物品。
【請求項１８】
前記吸収性コア（２）の表面領域は合計で、前記物品の平坦な状態において測定された場合に、前記物品の全表面領域の３０％以下、好ましくは２０％以下であることを特徴とする請求項１〜１７のいずれか一項に記載の吸収性物品。
【発明の詳細な説明】
【技術分野】
【０００１】
本発明は、パンツ型オムツ、生理用パンツ又は失禁用着用品のようなパンツ型の吸収性物品に関し、この物品は吸収性コアと本体とを備えるコア領域を有し、この本体は前部パネル、後部パネル、及び弾性腰バンドを備え、この腰バンドは本体の腰端部に略平行に、前記腰端部の周縁の少なくとも一部に沿って延在する強化用弾性要素を備えている。
【背景技術】
【０００２】
規定されたコア領域と本体領域とを有する吸収性物品は、着用者の周りの快適なフィット感を有するべきである。パンツ型オムツ、生理用パンツ、及び失禁用パンツのようなパンツ型物品に対しては、物品は着用者の臀部を越えて引き上げることができるとともに、引き下げることができ、着用者又は介護者がその物品を簡単に着用し、物品が汚れた場合に取り外すことができることが望ましい。このような吸収性物品を、弾性化された伸縮性を有する側部パネル及び腰部分で作ることが知られており、弾性化された伸縮性を有する側部パネル及び腰部分は通常は、背面シートと表面シートとの間に収縮可能に固定された、弾性糸のような弾性部材を備えている。
【０００３】
吸収性物品の本体の複数の部分を、引き伸ばした状態で結合された積層体のような弾性材で作ることがさらに知られている。このような積層体は、スパンボンドウェブの外側層の間に引き伸ばされつつ挟みこまれたメルトブローン弾性繊維の層を有することができる。
【０００４】
特許文献１は、吸収性物品のための伸張可能な外側カバーを開示しており、この外側カバーは、引っ張り力がかけられたときに、所定の永久変形を与える。伸張可能な外側カバーは、縮幅された部分を有する非弾性フィルムの１つの層と弾性フィルムの１つの層との形状の縮幅された部分を有する積層体を備えている。
【０００５】
特許文献２は、第１及び第２の弾性を有しない繊維層に、対向する側部において接合された弾性フィルムを備える、弾性積層体を開示している。この積層体は、弾性を有しない繊維層を弾性フィルム層に接合し、次いでこの複合材を引き伸ばし、弾性を有しない材料を破断させることによって作られている。弾性フィルム材は、通気性を有する材料からなっていてもよい。積層体は、吸収性物品に組み込むことができる。
【０００６】
特許文献３は、例えば弾性積層体からなる、伸縮性を有する前部パネル及び後部パネルを有する使い捨てのパンツ様の下着を開示している。弾性を有する腰バンドは、前部パネル及び後部パネルの内の少なくとも一方の遠位端に固定されており、前記弾性を有する腰バンドは、それが取り付けられるパネルの収縮された状態の長さより短い収縮された状態の長さを有している。弾性を有する腰バンドは、１つ以上の細長い弾性部材を取り囲んでいる折りたたまれた非弾性のウェブ材を備えている。
【０００７】
部分的に弾性積層体からなる吸収性物品のさらなる例は、特許文献４及び特許文献５に見受けられる。
【０００８】
国際出願ＰＣＴ／ＳＥ２００４／００１００４、ＰＣＴ／ＳＥ２００４／００１００５、ＰＣＴ／ＳＥ２００４／００１４１５、及びＰＣＴ／ＳＥ２００５／０００３０９は、布様の感触と外見とのような改良された特性を有する弾性積層体の形態の外側カバーシートを備える吸収性物品に関している。弾性を有する腰バンドは、外側カバーシートの腰端部に固定されている。
【０００９】
しかし、弾性積層体のような弾性を有するウェブ材を外側カバーシートとして備える吸収性物品の特性、特に腰開口部におけるフィット感及び外見の改良に対する必要が依然として存在している。着用者の腰の周りにぴったりとしたフィット感を提供する、腰バンドにおける強化用弾性要素は、着用した場合にこの領域において製品を暖かくすることができる。このことは、特に腰高のパンツ型製品にとって問題となりえる。
【特許文献１】米国特許第６５５２２４５号明細書
【特許文献２】国際公開第０３／０４７４８８号パンフレット
【特許文献３】米国特許出願公開第２００４／０２４３０８６号明細書
【特許文献４】米国特許第６４７６２８９号明細書
【特許文献５】特開平１０−４３２３５号公報
【特許文献６】欧州特許出願公開第１０３５８１８号明細書
【発明の開示】
【発明が解決しようとする課題】
【００１０】
本発明の目的は、腰領域における改良されたフィット感及び快適性を有する前述の種類のパンツ型吸収性物品を提供することである。
【課題を解決するための手段】
【００１１】
これは、物品の長手方向から見たときに、本体の腰端部に隣接する、少なくとも５ｍｍの高さの領域が、弾性腰バンドがそれに沿って延在する腰端部の実質的に少なくとも周縁部分に沿う強化用弾性要素を有しないということによって得られている。
【００１２】
１つの実施形態においては、本体の前記腰端部の周縁の少なくとも７５％が、末端部に隣接する前記領域において強化用弾性要素を有していない。本発明の１つの特徴においては、前記腰端部に隣接する、強化用弾性要素を有しない前記領域は、物品の長手方向（ｙ）から見たときに、少なくとも７ｍｍ、好ましくは少なくとも１０ｍｍの高さを有している。
【００１３】
１つの実施形態によれば、前記強化用弾性要素を備える弾性腰バンドは、一方の端部が本体の前記前部パネル及び後部パネルの末端部に取り付けられており、腰バンドの取り付けられていない端部は、腰バンドの取り付けられていない端部の少なくとも実質的に周辺部に沿った前述の請求項に記載されている長さの領域において強化用弾性要素を有していない。
【００１４】
さらなる実施形態においては、前記強化用弾性要素を備える弾性腰バンドは、前記前部及び後部パネルに、それらそれぞれの末端部の内側に選択された距離において取り付けられており、よって前記末端部は腰バンドの外側に、腰バンドの取り付けられていない端部の周縁の少なくとも実質的な部分に沿って、前述の請求項に記載されているような長さを突出している。
【００１５】
本発明の１つの特徴においては、弾性腰バンドは、物品の横方向において収縮状態の長さを有し、この収縮状態の長さは、弾性腰バンドが取り付けられる前部及び後部パネルの横方向における収縮状態の長さより短い。
【００１６】
さらなる特徴においては、弾性腰バンドは、互いから選択された距離において実質的に平行に延在する２つ以上の強化性弾性要素を備え、この距離は、前記腰端部に隣接する強化用弾性要素を有しない前記領域の高さより短くされている。
【００１７】
１つの実施形態においては、前記前部及び後部パネルのうちの少なくとも一方は、弾性ウェブ材を備えている。弾性ウェブ材は、繊維材からなる第１及び第２の層と、これら第１及び第２の繊維層の間に配置された弾性フィルム層とから構成することができる。弾性フィルム層は好ましくは通気性を有している。
【００１８】
本発明の１つの特徴においては、弾性積層体は、２４時間で少なくとも１５００ｇ／ｍ２、好ましくは２４時間で３０００ｇ／ｍ２の、ＡＳＴＭ、Ｅ−９６−００方法Ｄによる水蒸気透過率を有している。１つの実施形態によれば、前記弾性積層体は、スパンボンド材料からなる第１及び第２の繊維層を備え、それぞれの層は、１０〜３５ｇ／ｍ２の、好ましくは１２〜３０ｇ／ｍ２の、より好ましくは１０〜２５ｇ／ｍ２の秤量を有し、通気性を有する弾性フィルム層は、２０〜８０ｇ／ｍ２の、好ましくは２０〜６０ｇ／ｍ２の秤量を有し、前記弾性積層体は、２４時間で少なくとも１５００ｇ／ｍ２、好ましくは２４時間で３０００ｇ／ｍ２の、ＡＳＴＭ、Ｅ−９６−００方法Ｄによる水蒸気透過率を有している。
【００１９】
さらなる実施形態によれば、前記弾性ウェブ材は、本明細書に特定される弾性試験によって測定された場合に、少なくとも３０％、好ましくは少なくとも５０％、より好ましくは少なくとも７０％の物品の横方向における弾性率を有する。
【００２０】
本発明の１つの特徴においては、弾性ウェブ材は、１００ｇ／ｍ２以下の、好ましくは９０ｇ／ｍ２以下の秤量を有している。
【００２１】
またさらなる実施形態においては、実質的に非弾性のウェブ材が物品の股部分に配置され、前記非弾性のウェブ材は、前記弾性ウェブ材を備える前部及び後部パネルに結合されている。
【００２２】
１つの実施形態によれば、吸収性コアの表面領域は、物品の平坦な状態において測定された場合に、物品の全表面領域の３０％以下、好ましくは２０％以下とされている。“平坦な状態”という文言は、図面の図２に見られるような、開かれた、引っ張られていない状態をここでは意味しており、この状態ではいずれの引っ張られた弾性材も効力を有していない。
【発明を実施するための最良の形態】
【００２３】
本発明は、添付の図面を参照しつつ、例示の方法によって以下により詳細に記載される。
【００２４】
本発明は、添付のいくつかの実施形態を参照してより詳細に後述される。
【００２５】
［吸収性物品］
“吸収性物品”という文言は、着用者の肌に対して配置され、尿、便及び月経流体のような身体滲出物を吸収し保持する製品を意味している。本発明は主に使い捨て式吸収性物品に関し、使い捨て式物品は、洗濯され又は別様に使用後に吸収性物品として再保存されること、又は再使用されることを意図されていない物品を意味している。本発明によれば、パンツ型吸収性物品は、コア領域とこのコア領域を取り囲んでいる本体領域とを有しているように参照されている。このようなパンツ型吸収性物品の例は、パンツ型オムツ、生理用パンツ、及び失禁用パンツである。
【００２６】
図面は、幼児又は失禁症の大人のためのパンツ型オムツ１の実施形態を示している。前記パンツ型オムツは通常、物品のコア領域３中に配置された吸収性コア２とこのコア領域を取り囲んでいる本体４を備えている。本体は、前部パネル５と、後部パネル６と、弾性腰バンド７とを備えている。コア領域３は、物品の少なくとも股部分１９に配置され、前部パネル５及び後部パネル６の中に所定の距離を延在している。股部分１９はここでは、着用者の脚の間の股に着用されることを意図される狭い部分に規定されている。
【００２７】
物品は、長手方向ｙ及び横方向ｘを有している。
【００２８】
物品は、少なくともコア領域３を覆う液体透過性の上面シート８と液体不透過性の背面シート９とを備えている。吸収性コア２は、上面シート８と背面シート９との間に封入されている。
【００２９】
［上面シート］
液体透過性の上面シート８は、例えばスパンボンド、メルトブローン、カーディド、水流交絡式，  湿式等の不織材で構成することができる。好適な不織材は、例えばパルプ又は綿繊維のような自然繊維、ポリエステル、ポリエチレン、ポリプロピレン、ビスコースなどの人工繊維、又は自然繊維及び人工繊維の混合物から構成することができる。さらに、上面シートの材料は２つの繊維から構成することができ、例えば特許文献６に開示されているような結合パターンに互いに結合することができる。上面シートの材料のさらなる例は、多孔性発泡材、有孔のプラスティックフィルムなどである。上面シートの材料に適する材料は、柔らかく、皮膚に炎症を与えないものでなければならず、例えば尿または月経流体などの体液によって容易に透通されるように意図されている。上面シートは、吸収性物品の異なる部分において異なっていても良い。
【００３０】
［背面シート］
コアの衣服に面する側のコア領域３を覆っている液体不透過性の背面シート９は、例えばポリエチレンフィルム又はポリプロピレンフィルムなどの薄いプラスティックフィルム、液体不透過性を有する材料でコーティングされた不織材、液体の浸透に対して耐性を有する疎水性不織材、又は、プラスティックフィルムと不織材とを備える積層体のような、液体不透過性の材料から成っている。コア領域の背面シート材９は、依然として液体が吸収性コアを通り抜けるのを妨げる一方で、水蒸気が吸収性コアから逃げることができるように通気性とすることができる。通気性の背面シート材の例は、多孔性のポリマーフィルム、スパンボンド及びメルトブローンの層からなる不織積層体、多孔性のポリマーフィルムからなる積層体、及び不織材である。背面シート９は、好ましくは非弾性である。
【００３１】
［弾性ウェブ材］
本体４の前部パネル５及び後部パネル６を覆っている外側カバーシートは、弾性を有するウェブ材１０を備え、このウェブ材１０は、少なくとも物品の横方向であるｘ方向において弾性を有している。ｘ方向における弾性率は、後述において特定される弾性率試験によって測定されたときに、少なくとも３０％、好ましくは少なくとも５０％、より好ましくは７０％であるべきである。
【００３２】
好ましくは、弾性ウェブ材は、物品のｙ方向においても弾性である。しかし、ｙ方向における弾性率は、好ましくはｘ方向におけるより低い。ｙ方向における弾性率は、少なくとも２０％であるべきである。
【００３３】
図示され、後述される実施形態において、弾性ウェブ材は、繊維材１１及び１２からなる第１及び第２の外側層と、これら繊維層の間に配置された中央弾性フィルム層１３とからなる弾性積層体１０である。しかし、弾性不織材、本質的には非弾性であるが弾性糸等によって弾性化された不織材などのような、別のタイプの弾性ウェブ材を使用することができることが理解される。弾性ウェブ材は、１つの層又は積層された２つ以上の層を備えることもできる。
【００３４】
図示され、後述される弾性積層体においては、外側繊維層１１及び１２は、内側の弾性フィルム層１３との組み合わせにおいて材料に高い破壊強度を有するように選択されることが好ましい。また、外側繊維層１１及び１２は、柔らかく、布様の感触を積層体に与えている。好適な材料の例は、カーデドウェブ及びスパンボンド材である。繊維材層の秤量は、１０〜３５ｇ／ｍ２、好ましくは１２〜３０ｇ／ｍ２、より好ましくは１５〜２５ｇ／ｍ２であるべきである。繊維材に使用される好適なポリマーの例は、ポリエチレン、ポリエステル、ポリプロピレン、及び他のポリオレフィンのホモポリマー及びコポリマーである。例えば綿のような自然繊維もまた、要求される特性を提供する限り使用することができる。ポリマーの混合物は、不織層の高い可撓性に貢献することができ、これを通じて、不織材に最大荷重における高い伸びを付与している。ポリエチレンポリマーとポリプロピレンポリマーとの混合物は、この点で良好な結果を付与することを証明した。異なるポリマーから成る繊維の混合物もまた可能である。
【００３５】
本発明の１つの実施形態によれば、中央層１３は、２０〜８０ｇ／ｍ２、好ましくは２０〜６０ｇ／ｍ２２秤量を有する、有孔の弾性フィルムである。フィルムはいずれの好適な弾性ポリマーであってもよく、自然ポリマーであっても合成ポリマーであっても良い。弾性フィルムに好適な材料のいくつかの例は、低結晶性のポリエチレン、メタロセン触媒反応による（ｍｅｔａｌｌｏｃｅｎｅ−  ｃａｔａｌｙｚｅｄ）低結晶性ポリエチレン、エチレンビニルアセテートコポリマー（ＥＶＡ）、ポリウレタン、ポリイソプレン、ブタジエンースチレンコポリマー、スチレン／イソプレン／スチレン（ＳＩＳ）、スチレン／ブタジエン／スチレン（ＳＢＳ）のようなスチレンブロックコポリマー、又はスチレン／エチレン−ブタジエン／スチレンブロックコポリマーである。また、これらポリマーの混合物、及び他の変成エラストマ又は非エラストマ材も使用することができる。好適なフィルムの１つの例は、ＰＥ−ＳＥＢＳ−ＰＥからなる有孔の３層エラストマフィルムである。
【００３６】
積層体の合計秤量は、好ましくは１００ｇ／ｍ２以下、より好ましくは９０ｇ／ｍ２以下である。
【００３７】
弾性積層体１０は、特許文献２に開示された方法に従って製造することができ、この文献では、１つのスパンボンド層１１がフィルム１３に粘着状態で適用され、よってフィルム層に接着され、別のスパンボンド層１２は、例えば圧感式ホットメルト接着剤を使用して、フィルム層１３に接着積層されている。代替的に、積層体は、この既知の方法の変型版に従って製造されており、ここで変型は、積層体が、非弾性不織層の少なくとも１つの最大荷重における延びの下の点まで一定量で（噛み合いギア（ＩＭＧ））によって延伸され、少なくとも不織層の一方に対して所定の強度を保持することを含んでいる。他方の層もまた、最大荷重における伸びとしての点、又は延伸中に破れる点まで延伸することができる。
【００３８】
特許文献２に開示された方法は、繊維材の降伏点の上への積層体の引き伸ばしを含み、よって非弾性層は完全に破断する。したがって、特許文献２に記載されているように、積層体の延びは非弾性材の延伸弾性係数によって制限されることはない。
【００３９】
好ましい実施形態において、弾性フィルムに接着されている、少なくとも１つの、好ましくは両方の繊維層は、特許文献２に記載された方法とは対称的に、本発明による積層体の製造の際に完全に破られることはない。弾性積層体の弾性率より大きい、最大荷重における伸びを有する繊維材の選択は、弾性フィルムが、繊維層によって邪魔されることなく延びることを可能とする。また、このような選択は、繊維層が製造中に完全には破られないか、又は破壊されないので、繊維層が積層体の破壊強度に貢献するということを保障している。好ましくは、両方の繊維層、又は繊維層の少なくとも一方は、積層体の弾性率より少なくとも１０％高い最大荷重における伸びを有している。これは、国際出願ＰＣＴ／ＳＥ２００４／００１００５号明細書に、より詳細に記載されており、この明細書はここに参照として組み込まれている。
【００４０】
材料層の不透明度は、下層の対象物又は模様が見えるのを視覚的に隠す、材料層の特徴的な能力である。不透明度は％で測定され、１００％の不透明度は、材料の層を通して何も見えないことを意味し、０％の不透明度は、材料層が完全に透明であることを意味している。不透明度は、視感反射率のデータに基づいており、国際出願ＰＣＴ／ＳＥ２００４／００１４１５号明細書に記載されている。
【００４１】
積層体の不透明度は、積層体の中、特に弾性フィルムの中に不透明化フィラーを組み込むことによって得ることができる。このような顔料は、有機物又は無機物の染料、着色剤、又は白化剤とすることができる。二酸化チタンのような無機物、無機炭酸塩、合成物炭酸塩、タルク、霞石閃長岩、水酸化マグネシウム、サイアトメイシスアース（ｓｉａｔｏｍａｃｅｏｕｓ  ｅａｒｔｈ）アルミニウム３水化物、マイカ、自然シリカ又は合成シリカ、焼成粘土、及びこれら物質の混合物は、不透明化フィラーの好ましい例である。フィラーは、好ましくはフィルムの押出し成形において主要なバッチとして添加されている。適切な濃度の１つの例は、フィルムの約５重量％のフィラーである。
【００４２】
弾性積層体１０が、２４時間当たり少なくとも１５００ｇ／ｍ２、好ましくは２４時間当たり少なくとも３０００ｇ／ｍ２の、ＡＳＴＭのＥ９６−００の方法Ｄに従った通気性（水蒸気透過率）を有することが、さらに好ましい。
【００４３】
弾性フィルム層の開放領域は、好ましくは少なくとも８％、より好ましくは少なくとも１０％である。開放領域は、画像分析法によって測定され、孔領域の合計をフィルムの全面積によって割った値として規定されている。
【００４４】
［吸収性コア］
“吸収性コア”は、吸収性物品の２つのカバーの間に配置された吸収性構造体である。吸収性コア２は、従来のいずれの種類のものとすることもできる。通常使用される吸収性材料の例は、セルロースフラフパルプ、ティッシュ層、高度に吸収性を有するポリマー（いわゆる超吸収体）、吸収性発泡材料、吸収性不織材、又はその種のものである。セルロースフラフパルプを、吸収性コア内の超吸収性ポリマーと組み合わせることが一般的である。超吸収性ポリマーは、その重量の少なくとも約２０倍を吸収することができ、水膨潤性を有するとともに水不溶性有する有機物又は無機物であり、水溶液において０．９重量％の塩化ナトリウムを含んでいる。超吸収性材料として使用するために好適な有機材料は、ポリサッカライド、ポリペプチド、及びその種のもののような自然材料、及び合成ハイドロジェルポリマーのような合成材料を含んでいる。このようなハイドロジェルポリマーは、例えばポリアクリル酸のアルカリ金属塩、ポリアクリルアミド、ポリビニルアルコール、ポリアクリレート、ポリアクリルアミド、ポリビニルピリジン、及びその種のものを含んでいる。別の好適なポリマーは、加水分解されたアクリロニトリルグラフテッドスターチ、アクリル酸グラフテッドスターチ、及びイソブチレンマレイン酸アンハイドライド共重合体及びこれら物質の混合物を含んでいる。ハイドロジェルポリマーは、好ましくは軽く架橋されており、材料を実質的に水不溶性としている。好ましい超吸収性材料は、さらに表面架橋されており、超吸収性を有する粒子、繊維、フレーク、球体などの外側表面若しくは外殻は、超吸収体の内部よりも高い架橋密度を有している。超吸収性材料は、粒子、繊維、フレーク、球体、及びその種のものを含む、吸収性を有する複合体に使用するために好適なすべての形態とすることができる。高い吸収能力は、多量の超吸収性材料の使用によって提供されている。セルロース繊維、及び超吸収性材料のような、親水性繊維のマトリックスを備える吸収性コアのための、超吸収性材料の比率は、好ましくは１０〜９０重量％であり、より好ましくは３０〜７０重量％である。
【００４５】
吸収性物品において、液体収容能力、液体分散能力、及び液体貯蔵能力に対して異なる特性の層を備えている吸収性コアを有することは従来から行われている。例えば赤ちゃんのオムツ及び失禁ガードにおいて通常である薄い吸収性本体は、多くの場合、セルロースフラフパルプ及び超吸収性ポリマーの圧縮された混合構造又は層構造を備えている。吸収性コアの大きさ及び吸収能力は、幼児に対して、又は大人の失禁症の人に対してのような、異なる使用に合わせるように変化させることができる。
【００４６】
吸収性コアは、主な吸収性本体の上面に配置され、排出された液体を、主な吸収性コアによって吸収される前に、すばやく収容し一時的に貯蔵する捕捉分散層をさらに含んでいても良い。このような捕捉分散層は、従来技術においてよく知られており、多孔性の繊維詰め物又は発泡性材料から構成することができる。
【００４７】
［パンツ型オムツ］
図１に開示されているパンツ型オムツは、下着パンツのように着用者の胴の下部を取り囲むことを意図されている。パンツ式オムツは、物品の狭い股部分１９に配置され、吸収性パンツの前部パネル５及び後部パネル６の中に延在しているコア領域３を備えている。本体領域４は、コア領域３を取り囲んでいる。コア領域３は、吸収性コア２とコアの外側の領域とによって占有されている物品の表面領域として形成されており、液体不透過性のバックシートによって覆われている。本体４は、前部パネル５と、後部パネル６と、これら前部パネル及び後部パネルに固定された弾性腰バンド７とを備えている。代替的な実施形態においては、前部パネル５及び後部パネル６とのうちの一方だけに固定された弾性腰バンドを有している。前部パネル６及び後部パネル６のそれぞれは、腰端部５ａ及び６ａと、股端部５ｂ及び６ｂと、一対の側端部５ｃ、６ｃ及び５ｄ、６ｄとをそれぞれ有している。前部パネル５と後部パネル６とは、それらの側端部５ｃ、６ｃ及び５ｄ、６ｄに沿って、超音波溶着１５、糊紐、または側部シームを形成するその種のものによって互いに結合されている。また、前部パネル５及び後部パネル６にそれぞれ固定された弾性腰バンドの部分７は、前記側部シームに沿って互いに結合されている。結合された前部パネル５及び後部パネル６と、腰バンドの部分７は、パンツ型オムツの腰部開口部と一対の脚部開口部とを形成している。
【００４８】
本発明の１つの実施形態によれば、吸収性コア２の表面領域は、物品の平坦な状態において測定した場合に、合計で物品の前表面領域の３０％以下、好ましくは２０％以下とされている。「平坦な状態」という文言は、図２に示されているような、開かれた、引っ張られていない状態をここでは意味しており、いずれの弾性部材も活性化されていない。
【００４９】
弾性ウェブ材１０は、コア領域３及び本体領域４の全体を含む物品全体を覆うことができる。しかし、好ましい実施形態によれば、物品の実質的に股部分１９の一部には、弾性ウェブ材１０はない。「実質的な一部」は、ここでは少なくとも５０％、好ましくは少なくとも７５％を意味している。
【００５０】
股パネル１８は、好ましくは非弾性材であり、より好ましくは非弾性不織材であるが、物品の股部分に配置されているが、弾性を有する前部パネル５及び後部パネル６に重なっている。股パネル１８は、超音波溶着１７、糊紐、またはその種のものによって前部パネル５及び後部パネル６にそれぞれ重なる状態で結合された股パネル１８の側端部１８ａ及び１８ｂに沿っている。
【００５１】
弾性腰バンド７は実質的に非弾性の不織材を備え、この実質的に非弾性の不織材は、不織材のような材料層の間に収縮自在に固定された、弾性糸またはバンドのような細長い弾性部材１４ａによって弾性化されている。これら細長い弾性部材１４ａは、物品に腰領域において強化された弾性を付与する強化用弾性要素を構成している。好ましくは、弾性腰バンドＴは、図１に図示されているように、それが取り付けられている前部パネル５及び後部パネル６の横方向における収縮された長さより短い、物品の横方向であるｘ方向における収縮された長さを有している。しかし、代替的な実施形態においては、弾性腰バンド７は、前部パネル５及び後部パネル６の横方向における収縮された長さとほぼ等しい、横方向であるｘ方向における収縮された長さを有している。
【００５２】
また、弾性糸１４ｂは物品の脚部開口部の少なくとも一部の周りに配置することができる。図５に図示するように、弾性腰バンド７は、ほぼ非弾性のウェブ材からなる第１及び第２のプライ２０、２１を備えることができ、これらプライは少なくとも１つの弾性要素１４ａ、好ましくは２つ以上の弾性糸を間に収容している。実質的に非弾性のウェブ材は、好ましくは不織材である。腰バンドの第１のプライ２０は、前部パネル５及び後部パネル６それぞれの腰端部５ａ及び６ａにおいて、弾性ウェブ材１０の身体に面する側に固定されており、腰バンドの第２のプライ２１は、第１のプライ２０のちょうど反対側である弾性ウェブ材１０の反対側の外側に固定されている。
【００５３】
第１及び第２のプライ２０、２１は、引き伸ばされた状態にある間に弾性ウェブ材１０に固定される。間に弾性ウェブ材１０を保持している第１及び第２のプライ２０、２１は、引き伸ばされた状態にある弾性ウェブ材を保持しつつ超音波溶着、糊紐、またはその種のものによって結合された腰バンドシームを形成している。このことは、結果として弾性ウェブ材１０が弛緩位置にある場合に腰バンドシーム１６に沿ったギャザーを形成する。
【００５４】
弾性腰バンド７は２つ折りされた実質的に非弾性のウェブ材から形成することができるが、また、結合され、間に弾性糸１４を封入する２つの別々のパイル２０、２１から形成することもできる。
【００５５】
このように形成された腰バンドシーム１６は、ただ１つのウェブ材からなるプライが、図４に最も良く示されているように、腰バンドシーム１６において弾性ウェブ材１０の両側に結合されているので、着用者に面する表面及び反対側の物品の外側表面の両方において、前部パネル５及び後部パネル６と腰バンド７との間の非常に滑らかな結合を提供する。腰バンドシーム１６は、所定の弾性度をさらに有している。
【００５６】
代替的な実施形態においては、弾性腰バンド７は、弾性ウェブ材１０の側部の一方、好ましくはパンツ型物品の外側を形成する側部に結合されている。
【００５７】
弾性バンド７は、前部パネル及び後部パネルの両方に結合されているように図示されているが、代替的な実施形態においては前部パネル５及び後部パネル６の一方だけが弾性腰バンドＴに結合されており、ここでは弾性ウェブ材１０の弾性率は、他方のパネルを着用者の臀部の上の所定の位置に保持するのに十分とされている。
【００５８】
強化用弾性要素１４ａは、引っ張りの後には弾性ウェブ材１０より高度の弾性と高い収縮力を示し、よって着用者の腰の周りのぴったりとしたフィット感を保持している。このぴったりとしたフィット感は、特に腰高のパンツ型製品に対して、暖かく汗ばむ感触を生じさせる場合がある。腰領域の製品の快適性を増加させるために、本発明によれば物品の腰端部に隣接する領域が強化用弾性要素１４ａを有しないことを提示している。この領域は、物品の長手方向である方向ｙから見たときに高さａを有するべきであり、この高さは少なくとも５ｍｍ、好ましくは少なくとも７ｍｍ、より好ましくは少なくとも１０ｍｍである。これは、腰の周りにこの領域の通気を可能とする小さなフリルを付与する。
【００５９】
腰端部２２と最も外側の強化用弾性要素１４ａとの間の間隔ａは、弾性腰バンド７がそれに沿って延在する腰端部２２の周縁の実質的に少なくとも一部分の上に存在するべきである。「実質的に一部分」はここでは、弾性腰バンドの横方向（ｙ）における長さの少なくとも５０％を意味している。前記長さの好ましくは７５％が空間ａを有し、より好ましくは腰バンドの長さ全体が空間ａを有している。
【００６０】
図３に示される代替的な実施形態においては、弾性腰バンド７は、前部パネル５及び後部パネル６の腰末端部５ａ及び６ａに隣接するがその内側にある、弾性ウェブ材１０の外側に取り付けられている。よって、前記末端５ａ及び６ａは所定の距離を腰バンドの外側に突出し、上述の間隔ａに対応する前記距離は、少なくとも５ｍｍ、好ましくは少なくとも７ｍｍ、より好ましくは少なくとも１０ｍｍのｙ方向の高さを有している。この間隔ａは、少なくとも腰バンド７のｘ方向の長さの実質的に一部に沿って存在しているべきである。腰バンド７は、上述のように、腰開口部の周縁全体に沿って、又は前部パネル５若しくは後部パネル６の一方のみに沿って存在することができる。
【００６１】
この実施形態において、弾性腰バンド７の外側に突出している前部パネル５及び後部パネル６の領域ａが、相対的に低度の弾性率及び収縮力を提供する一方で、強化用弾性要素１４ａを有する弾性腰バンド７が比較的高度の弾性率及び収縮力を提供するので、腰領域は異なる程度の弾性率からなる領域を有する。このことによって、結果的に腰領域における改良されたフィット感と快適性が得られる。
【００６２】
弾性腰バンド７は、弾性を有するバンドの形状の１つの弾性要素１４ａのみしか備えなくても良いが、好ましくは、互いから選択された距離ｂにおいて実質的に平行に延在する１つ以上の強化用弾性要素１４ａを備え、１つの実施形態による前記距離ｂは、強化用弾性要素１４ａが存在しない前記領域の高さａより短い。３つ以上の弾性要素１４ａが存在する場合には、これら弾性要素は互いから同じ、又は異なる距離ｂにおいて配置することができる。しかしながら別の実施形態においては、距離ｂは高さａと同じ、又は高さａより大きくすることができる。
【００６３】
液体不透過性の背面シート材９は、吸収性コア２と吸収性コア２のすぐ外側の隣接領域との下に存在する。液体不透過性の背面シート９によって覆われた領域は、コア領域３として形成されている。股部の不織材１８は、物品の股部分における液体不透過性の背面シート９の衣服に面する側に配置されている。コア領域３は前部パネル５及び後部パネル６の中に延在し、よって弾性ウェブ材１０及び液体不透過性の背面シートはコア領域３の外側部分に重なり、ここで弾性ウェブ材１０は液体不透過性の背面シート９の衣服に面する側に配置されている。
【００６４】
弾性ウェブ材は、本体４の前部パネル５及び後部パネル６の部分における単一の構成成分を構成している。物品の全表面領域の少なくとも２０％、好ましくは少なくとも２５％、より好ましくは少なくとも３０％、最も好ましくは少なくとも４０％においては、図２及び図３による平坦な状態に示されるように、弾性ウェブ材１０は本体の単一構成成分を構成している。
【００６５】
本発明による弾性ウェブ材１０を使用する場合には、前部パネル５と後部パネル６とを結合する弾性化された側部パネルは必要とされない。勿論、必要に応じて、特に弾性ウェブ材１０が前部パネル及び／又は後部パネルの一部分にしか配置されていない場合には、追加的な弾性化された側部パネルを設けることもできる。
【００６６】
上述のように、弾性ウェブ材１０は、少なくとも４０％、好ましくは少なくとも５０％、より好ましくは少なくとも６０％の不透過率を有している。弾性ウェブ材の不透過率は、物品に布様の外見を与え、これは物品がパンツ型オムツの場合に特に重要である。この場合には特に、前部パネル及び後部パネルの大きな領域のような、弾性ウェブ材がパンツ式オムツのほとんどの表面積領域の単体コンポーネントを形成しているところ、及び吸収性コアが物品の３０％もしくはそれ未満の比較的小さい領域のみを覆っているところで、弾性ウェブ材の外見が、物品の全体的な外見に対して非常に重要である。このように、弾性ウェブ材を、少なくとも４０％の不透過率を有するように作ることによって、パンツ型オムツは、弾性ウェブ材が高度の透明性を有する場合よりも布様に、また“通常の”下着のように見える。不透過率は、国際特許出願ＰＣＴ／ＳＥ２００４／００１４１５号明細書に開示されている不透過率試験によって測定される。
【００６７】
弾性ウェブ材がＡＳＴＭ第Ｄ３７６３−０２番に従って測定されたときに少なくとも１５Ｎの破壊強度を有していることがさらに望ましい。好ましくは、本発明の弾性ウェブ材は、少なくとも２０Ｎ、より好ましくは少なくとも３０Ｎの破壊強度を有している。
【００６８】
弾性ウェブ材は、少なくとも２０、好ましくは少なくとも３０、より好ましくは少なくとも４０のカワバタによる柔らかさを有するべきである。弾性ウェブ材が、５０未満の、好ましくは３０未満の、より好ましくは２０未満の、最も好ましくは１０未満のカワバタによる成形性を有することがさらに好ましい。また、弾性ウェブ材は、４０未満のカワバタによるドレープ性を有することが望ましい。カワバタによる柔らかさ、成形性、及びドレープ性は、国際特許出願ＰＣＴ／ＳＥ２００４／００１００４号明細書に与えられている試験方法に従って測定される。
【００６９】
［弾性率試験］
この方法は、弾性材が、負荷のかけ及び外しの繰り返しの際にどのような挙動を示すかを測定する。サンプルは所定の伸びまで引き伸ばされ、０と前記所定の伸びとの間の周期的な動きが行われる。望ましい負荷のかけ外しの力が記録される。弛緩した材料の永久伸び、すなわち残留伸びが測定される。
【００７０】
周期的な動きができ、プリンタ／プロッタもしくはソフトウェアを装備された引っ張り試験機ロイドＬＲＸ（Ｌｌｏｙｄ  ＬＲＸ）が使用される。サンプルは、２５ｍｍ幅、及び、引っ張り試験機のクランプの間の距離より好ましくは２０ｍｍ長い長さに切り取ることによって準備される。
【００７１】
引っ張り試験機は、装置の使用説明書にしたがって校正される。試験（付加のかけ及び外しの力）に必要なパラメータは、以下のように調整される。
−クロスヘッドスピード：５００ｍｍ／ｍｉｎ
−クランプ距離：５０ｍｍ
−プレロード：０．０５Ｎ
【００７２】
サンプルは、クランプ中に目印に従って載置され、サンプルが中心出しされ、クランプ中に垂直に固定されていることが確認される。引っ張り試験機が起動され、０と最も高く規定された第１の負荷に等しい所定の伸びとの間の３サイクルが行われる。最後のサイクルの前に、サンプルは１分間、弛緩状態にされ、次いでサンプルを０．１Ｎの力が検出されるまで引き伸ばし、伸びを読むことによって、永久伸びが測定される。
【００７３】
弛緩後の永久伸びは、１０％以下であるべきであり、上記の方法によって測定される。このように、３０％の弾性が、上記の引っ張り試験機において３０％の伸びをかけられた後に、積層体が１０％未満の伸びの後の永久弛緩を有するように規定されている。３０％の伸びは、サンプルの当初の長さより３０％長い長さへの伸びを意味している。
【００７４】
本発明が好ましい実施形態を参照して記載されてきたが、いくつかの変形が特許請求の範囲の技術的範囲内において可能であることが理解される。したがって、本発明は、当業技術分野内の既知の、又は慣習的な方法内におけるいかなる変形物又は相当物を含むように意図されている。
【図面の簡単な説明】
【００７５】
【図１】パンツ型吸収性物品の第１の実施形態の斜視図である。
【図２】形成前の平坦かつ収縮されていない状態における、図１のパンツ型物品の、衣服に面する側から見た平面図である。
【図３】パンツ型物品の第２の実施形態の、図２に示されたものに対応する平面図である。
【図４】図２における線ＩＶ−ＩＶに従った断面図である。
【図５】図２における線Ｖ−Ｖに従った断面図である。
【図６】図２における線Ｖｌ−Ｖｌに従った弾性積層体の断面図である。
【符号の説明】
【００７６】
１・・・吸収性物品
２・・・吸収性コア
３・・・コア領域
４・・・本体
５・・・前部パネル
５ａ、６ａ・・・末端部
６・・・後部パネル
７・・・弾性腰バンド
１０・・・弾性ウェブ材、弾性積層体
１１・・・第１の層
１２・・・第２の層
１３・・・弾性フィルム層
１４ａ・・・強化用弾性要素
１８・・・股パネル
１９・・・股部分
２２・・・腰端部
ｘ・・・横方向
ｙ・・・長手方向
【図１】
2009501054.tif 000003
【図２】
2009501054.tif 000004
【図３】
2009501054.tif 000005
【図４】
2009501054.tif 000006
【図５】
2009501054.tif 000007
【図６】
2009501054.tif 000008
【国際調査報告】
2009501054.tif 000009
2009501054.tif 000010
2009501054.tif 000011
2009501054.tif 000012